(57)【特許請求の範囲】
【請求項１】
口部と、口部の周りに設けたカラーとを有するツイストロック式注射器を、容器や配管に接続するための注射器接続ポートであって、
弾性体よりなり、容器又は配管の開口に装着されるシール本体と、
前記シール本体に形成され、ツイストロック式注射器のカラーが圧入可能で、かつ、内部へ向け縮径した有底逆円錐台状の接続孔と、
前記接続孔の底部に形成された閉塞状態の貫通孔とを備え、
前記接続孔の内周にツイストロック式注射器のカラーの外周が圧入されると、前記貫通孔が押し広げられて貫通孔の閉塞状態が解除され、この閉塞状態を解除した貫通孔にツイストロック式注射器の口部が挿入されてツイストロック式注射器による注入又は抽出が可能になることを特徴とする容器又は配管の注射器接続ポート。
【発明の詳細な説明】
【０００１】
【発明の属する技術分野】
本発明は、薬液瓶などの容器や混注管などの配管の注射器接続ポートに関するものであって、特にツイストロック式注射器を装入するのに適した容器又は配管の注射器接続ポートに関するものである。
【０００２】
【従来の技術】
従来、薬液瓶は、図３に示すように、瓶本体１０１の開口１０２にゴム栓１０３が圧入固定されており、ゴム栓１０３に注射針７２を突き刺して、内部の薬液が抽出できるようになっている。詳しくは、瓶本体１０１の開口１０２にゴム栓１０３を圧入し、開口１０２の外周フランジ部１０４に固着させたキャップ１０５でゴム栓１０３を固定した構造になっている。瓶中の薬液（図示省略）を注射器７１で抽出する時は、キャップ１０５の中心を剥離除去し、（あるいは、予めキャップ１０５の中心部に設けられた開口から）ゴム栓１０３に注射針７２を突き刺して内部の薬液を抽出することができるようになっている。
【０００３】
また、薬液の点滴や人工透析などに用いられる輸液配管に取り付けられ、輸液の抽出や薬液の混入などを行う混注管は、図４に示すように、混注管１１１の分岐部１１２に設けられた開口１１３にゴム栓１１４が圧入されており、このゴム栓１１４を開口１１３の外周フランジ部１１５に固着させたキャップ１１６で固定した構造になっている。輸液配管を流れる輸液（図示省略）を注射器７１で抽出する時は、上記の瓶の場合と同様に、ゴム栓１１４に注射針７２を突き刺して行う。
【０００４】
また注射器に関しては、近年、医療現場では注射器の安全性を向上させるために、図５(ａ)に示すように、注射器本体の口部に注射針を螺合させたツイストロック式注射器が採用されつつある。このツイストロック式注射器８０の注射器本体８２は、図５(ｂ)に示すように、押子８３が装入されるシリンダ部８４と、シリンダ部８４からオステーパ状に突出した口部８５と、口部８５の周りに円筒状に立設したカラー８６の内周に形成した雌ねじ部８７とを備えている。ツイストロック式注射器８０の注射針８１は、図５(ｃ)に示すように、ハブ部８８の先端側に針８９が取り付けてあり、基端側にメステーパ状の装着部９０があり、その基端外周に螺合片９１が設けられている。このツイストロック式注射器８０は、図５(ａ)に示すように、注射器本体８２の雌ねじ部８７に注射針８１の螺合片９１を螺合させつつ、注射器本体８２の口部８５に注射針８１の装着部９０を装着させて、注射器本体８２の口部８５に注射針８１を取り付けたものである。このツイストロック式注射器８０によれば、注射器本体８２の口部８５に注射針８１が螺合しているので、注射針８１が脱落し難い構造を備えており、注射針８１の脱落に起因する種々の医療事故を防止することができる。
【０００５】
【発明が解決しようとする課題】
上述した薬液瓶や混注管は、ゴム栓を突き刺すために注射針を使用する必要がある。しかし、注射針は、その管理を怠れば院内感染などの重大な医療事故の原因となるので、その使用や廃棄に十分な配慮が必要である。従って、注射針を使用することは、そのものの購入費用などのコスト面の負担や、管理負担や処理負担を負うことになり、また使用済み注射針の誤射など不慮の医療事故のリスクを負うことになる。
【０００６】
そこで、注射針を取り付けない状態で注射器の口部をそのまま薬液瓶や混注管の開口に刺し込めるようになっていれば、注射針の使用が不要になり上記の問題は解消される。すなわち、本発明はニードルレスで使える注射器接続ポートを提供するものである。
【０００７】
ところで、従来、ニードルレスで使える注射器接続ポートとしては、特開２００１−０３７８８７号公報に記載されるものが知られている。同公報に記載される注射器接続ポート１２０は、図６(ａ)に示すように、混注管１２１の開口に外側に向けて先端が尖った導液針１２２が装着されており、この導液針１２２の上に弾性シール材１２３を装着したものである。導液針１２２は導液孔１２２ａを有している。この注射器接続ポート１２０は、図６(ｂ)に示すように、注射針７２を装着しない注射器７１の口部７３を押し込んだときに、導液針１２２が弾性シール材１２３を突き破り、注射器７１の口部７３と導液針１２２の導液孔１２２ａとが連通するようになっている。また、注射器７１を抜くと弾性シール材１２３が復元し、導液針１２２の導液孔１２２ａが閉鎖されるようになっている。しかしながら、この注射器接続ポート１２０は、ツイストロック式注射器８０のように口部８５の周りにカラー８６があるものは、カラー８６が注射器接続ポート１２０に干渉するために、ツイストロック式注射器８０は使うことができなかった。
【０００８】
そこで、本発明は、このような問題点を鑑み、注射針を用いずに注射器本体のみで注入や抽出が行える注射器接続ポートであって、上述したツイストロック式注射器でも使うことができる注射器接続ポートを提供することを目的としている。
【０００９】
【課題を解決するための手段】
【００１０】
請求項１に係る容器又は配管の注射器接続ポートは、口部と、口部の周りに設けたカラーとを有するツイストロック式注射器を、容器や配管に接続するための注射器接続ポートであって、弾性体よりなり、容器又は配管の開口に装着されるシール本体と、前記シール本体に形成され、ツイストロック式注射器のカラーが圧入可能で、かつ、内部へ向け縮径した有底逆円錐台状の接続孔と、前記接続孔の底部に形成された閉塞状態の貫通孔とを備え、前記接続孔の内周にツイストロック式注射器のカラーの外周が圧入されると、前記貫通孔が押し広げられて貫通孔の閉塞状態が解除され、この閉塞状態を解除した貫通孔にツイストロック式注射器の口部が挿入されてツイストロック式注射器による注入又は抽出が可能になることを特徴とする。
【００１１】
ここで、「容器」には、例えば、薬液を入れる薬液瓶やソフトバックなどが例示できる。また、「配管」には、例えば、輸液流路を形成する輸液配管に取り付けられる混注管などが例示できる。
【００１２】
また、「シール本体」は、例えば、シリコンや天然ゴムなどの弾性体で成形することが望ましい。
【００１３】
【発明の実施の形態】
以下、本発明に係る容器又は配管の注射器接続ポート（以下、単に「注射器接続ポート」という。）を図面に基づいて説明する。
【００１４】
図１は、本発明の実施形態に係る注射器接続ポート５０が配設された混注管５１の横断側面図である。この混注管５１は、例えば輸液配管の途中に設けられる配管で、両端に輸液配管の２つの管５２、５３を接続する接続部５４がある。混注管５１の中央には分岐部５５があり、この分岐部５５を臨むように開口５６が形成されている。この開口５６には注射器接続ポート５０の後述するシール本体６１を装着するための円筒状の壁部５７と、シール本体６１を着座させる着座部５８がある。壁部５７の上端周縁には、注射器接続ポート５０の後述するキャップ部材６２を装着させる外周フランジ部５９が外径方向に突出形成されている。
【００１５】
この注射器接続ポート５０は、図１に示すように、中心に閉塞状態の貫通孔６３ａが形成されたシール本体６１と、キャップ部材６２とを主要な構成要素とし、混注管５１の開口５６にシール本体６１を装着し、このシール本体６１を、混注管５１の外周フランジ部５９に装着したキャップ部材６２で混注管５１の開口５６に固定したものである。この注射器接続ポート５０は、ツイストロック式注射器８０で輸液配管内に薬液を注入する場合、および、輸液配管内の薬液を抽出する場合に用いられる。
【００１６】
詳しくは、シール本体６１はシリコンや天然ゴムなどの略円板形状の弾性体で、シール本体６１の上側面の中心にはツイストロック式注射器のカラーが圧入可能で、かつ、内部へ向けて縮径した有底逆円錐台状の接続孔６３が形成されている。この接続孔６３はツイストロック式注射器８０のカラー８６が圧入されると、底部が押し広げられるようになっている。この接続孔６３の底部は薄肉に形成されており、中心に閉塞状態の貫通孔６３ａが形成されている。この貫通孔６３ａは接続孔６３の薄肉の底部に針で微小孔を空けたもので、接続孔６３の底部が押し広げられると、閉塞状態が解除され、徐々に孔が広がるようになっている。
【００１７】
次に、キャップ部材６２は、混注管５１の開口５６にシール本体６１を固定するものであり、図１に示すように、混注管５１の開口５６の壁部５７の上端周縁及びシール本体６１の上端周縁を覆い、かつ、混注管５１の開口５６の外周フランジ部５９に嵌め込まれている。キャップ部材６２の中心はシール本体６１の窪みを臨むように、開口５６が形成されている。なお、キャップ部材６２は、例えばポリプロピレンなどのプラスチック製の材料で成形されている。
【００１８】
この注射器接続ポート５０は、図１に示すように、シール本体６１を混注管５１の開口５６の壁部５７に押し込み、かつ、着座部５８に着座させ、混注管５１の外周フランジ部５９に装着したキャップ部材６２でシール本体６１を固定したものである。このときシール本体６１は混注管５１の開口５６に装着された状態であるので、シール本体６１の貫通孔６３ａは閉塞状態で維持されている。
【００１９】
この注射器接続ポート５０の接続孔６３に、注射針を装着しない状態のツイストロック式注射器８０のカラー８６を圧入すると、接続孔６３の底部がツイストロック式注射器８０のカラー８６により押し広げられ、貫通孔６３ａの閉塞状態が解除される。さらに、ツイストロック式注射器８０を圧入していくと、貫通孔６３ａは徐々に広がり、ツイストロック式注射器８０の口部８５が貫通孔６３ａに達した時には、図２に示すように、ツイストロック式注射器８０の口部８５が貫通孔６３ａに差し込める状態になる。この状態では、ツイストロック式注射器８０の口部８５と混注管５１の分岐部５５が連通しており、ツイストロック式注射器８０で混注管５１の分岐部５５への薬液の注入や混注管５１の分岐部５５からの輸液の抽出が行える。なお、ツイストロック式注射器８０のカラー８６がシール本体６１の接続孔６３の内周面に嵌着しているので、薬液又は輸液が外部に漏れることはない。
【００２０】
以上、本発明の実施形態に係る注射器接続ポート５０を説明したが、本発明の実施形態に係る注射器接続ポート５０は、上記に限定されるものではない。
【００２１】
上述した注射器接続ポート５０は、それぞれ混注管に適用された実施形態を例示したが、本発明に係る注射器接続ポートは、混注管に限らず、種々の容器又は配管に設けることができる。
【００２２】
【発明の効果】
上述したように、本発明に係る注射器接続ポートは、注射針を用いずにツイストロック式注射器の注射器本体のみで注入や抽出が行えるので、注射器を用いた薬液の注入や輸液の抽出において、注射針を使うことによる負担やリスクが解消される。
【図面の簡単な説明】
【図１】  本発明の実施形態に係る注射器接続ポートを備える混注管を示す断面図である。
【図２】  本発明の実施形態に係る注射器接続ポートの使用状態を示す断面図である。
【図３】  薬液瓶のシール構造を示す縦断面図である。
【図４】  混注管のシール構造を示す縦断面図である。
【図５】  (ａ)はツイストロック式の注射器を示す縦断面図、(ｂ)はツイストロック式の注射器の注射器本体を示す縦断面図、(ｃ)はツイストロック式の注射器の注射針を示す図である。
【図６】  (ａ)は従来のニードルレスの注射器接続ポートを示す断面図、(ｂ)は従来のニードルレスの注射器接続ポートの使用状態を示す断面図。
【符号の説明】
５０  注射器接続ポート
５１  混注管
５２、５３  輸液配管の２つの管
５４  接続部
５５  分岐部
５６  開口
５７  壁部
５８  着座部
５９  外周フランジ部
６１  シール本体
６２  キャップ部材
６３  接続孔
６３ａ  貫通孔
６３ａ  内周面
７１  注射器
７２  注射針
７３  口部
８０  ツイストロック式注射器
８１  注射針
８２  注射器本体
８３  押子
８４  シリンダ部
８５  口部
８６  カラー
８７  雌ねじ部
８８  ハブ部
８９  針
９０  装着部
９１  螺合片
９２  円形溝領域
【図１】
0004056746.tif 000002
【図２】
0004056746.tif 000003
【図３】
0004056746.tif 000004
【図４】
0004056746.tif 000005
【図５】
0004056746.tif 000006
【図６】
0004056746.tif 000007